(57)【要約】【課題】被験者の表情ジワやお手入れ時の皮膚のヨレから適切に肌状態を解析する。【解決手段】撮像手段により撮影した被験者の顔の動画像から肌状態を解析する画像解析装置において、前記動画像に含まれる前記顔の表情の変化に基づき、前記顔の解析領域に予め配列された複数の追跡点の変化量を追跡し、前記変化量から前記解析領域における肌の圧縮率を取得する追跡手段と、前記追跡手段により得られる圧縮率に基づいて前記被験者の肌状態を解析する肌状態解析手段とを有することにより、上記課題を解決する。【選択図】図１
2014193197.tif 000002
【特許請求の範囲】
【請求項１】
撮像手段により撮影した被験者の顔の動画像から肌状態を解析する画像解析装置において、
前記動画像に含まれる前記顔の表情の変化に基づき、前記顔の解析領域に予め配列された複数の追跡点の変化量を追跡し、前記変化量から前記解析領域における肌の圧縮率を取得する追跡手段と、
前記追跡手段により得られる圧縮率に基づいて前記被験者の肌状態を解析する肌状態解析手段とを有することを特徴とする画像解析装置。
【請求項２】
前記肌状態解析手段は、
前記圧縮率に基づいて、前記解析領域に対するストレスを解析することを特徴とする請求項１に記載の画像解析装置。
【請求項３】
前記肌状態解析手段は、
前記圧縮率に基づいて、前記解析領域に対するシワパラメータを算出することを特徴とする請求項１又は２に記載の画像解析装置。
【請求項４】
前記肌状態解析手段は、
前記圧縮率に基づいて、前記解析領域に対する皮膚ヨレを解析することを特徴とする請求項１乃至３の何れか１項に記載の画像解析装置。
【請求項５】
前記追跡手段は、
前記顔の表情の変化に基づく前記解析領域の歪み量を取得することを特徴とする請求項１乃至４の何れか１項に記載の画像解析装置。
【請求項６】
前記肌状態解析手段により得られる解析結果を、前記撮影手段により撮影した前記被験者の顔画像に反映させた画像を生成する画像生成手段とを有することを特徴とする請求項１乃至５の何れか１項に記載の画像解析装置。
【請求項７】
前記撮像手段は、高速度カメラを用いることを特徴とする請求項１乃至６の何れか１項に記載の画像解析装置。
【請求項８】
撮像手段により撮影した被験者の顔の動画像から肌状態を解析する画像解析方法において、
前記動画像に含まれる前記顔の表情の変化に基づき、前記顔の解析領域に予め配列された複数の追跡点の変化量を追跡し、前記変化量から前記解析領域における肌の圧縮率を取得する追跡ステップと、
前記追跡ステップにより得られる圧縮率に基づいて前記被験者の肌状態を解析する肌状態解析ステップとを有することを特徴とする画像解析方法。
【請求項９】
前記肌状態解析ステップは、
前記圧縮率に基づいて、前記解析領域に対するストレスを解析することを特徴とする請求項８に記載の画像解析方法。
【請求項１０】
前記肌状態解析ステップは、
前記圧縮率に基づいて、前記解析領域に対するシワパラメータを算出することを特徴とする請求項８又は９に記載の画像解析方法。
【請求項１１】
前記肌状態解析ステップは、
前記圧縮率に基づいて、前記解析領域に対する皮膚ヨレを解析することを特徴とする請求項８乃至１０の何れか１項に記載の画像解析方法。
【請求項１２】
前記追跡ステップは、
前記顔の表情の変化に基づく前記解析領域の歪み量を取得することを特徴とする請求項８乃至１１の何れか１項に記載の画像解析方法。
【請求項１３】
前記肌状態解析ステップにより得られる解析結果を、前記撮影手段により撮影した前記被験者の顔画像に反映させた画像を生成する画像生成ステップとを有することを特徴とする請求項８乃至１２の何れか１項に記載の画像解析方法。
【請求項１４】
前記撮像手段は、高速度カメラを用いることを特徴とする請求項８乃至１３の何れか１項に記載の画像解析方法。
【請求項１５】
コンピュータを、請求項１乃至７の何れか１項に記載の画像解析装置が有する各手段として機能させるための画像解析プログラム。
【発明の詳細な説明】
【技術分野】
【０００１】
本発明の一実施形態は、画像解析装置、画像解析方法、及び画像解析プログラムに係り、特に被験者の表情ジワから適切に肌状態を解析するための画像解析装置、画像解析方法、及び画像解析プログラムに関する。
【背景技術】
【０００２】
従来、被験者の顔面（例えば、目尻や頬等）にできるシワは、顔の表情の変化（例えば、笑いジワ、怒りジワ）や皮膚の押し付けによるヨレに伴って生じる。また、シワは、加齢や肌のキメやハリの衰え等により、表情を元に戻してもシワが消えない状態（いわゆる残りジワ）となり、最終的に表情に関係なく生じるシワ（いわゆる定着ジワ）となる。したがって、外見における老化現象の象徴として、美容上の大きな課題となっており、シワの予防や改善に効果のある製品の開発には、消費者から大きな期待が寄せられている。また、抗シワ製品の開発には、その性能・効果が科学的かつ信頼性の高い評価法によって実証されることが重要である。
【０００３】
そこで、従来では、目尻のシワを対象にした抗シワ製品の機能評価を行うガイドラインを作成して多種多様なシワ評価法の基準化を行っている（例えば、非特許文献１参照）。また、従来では、目尻の三次元形状データからシワ個々の深さや面積を算出し、目視評価の結果も加味した分布解析に基づいてシワを評価する手法が存在する（例えば、非特許文献２参照）。
【先行技術文献】
【非特許文献】
【０００４】
【非特許文献１】抗老化機能評価専門委員会、「新規効能取得のための抗シワ製品評価ガイドライン」、日本香粧品学会誌、Ｖｏｌ．３０，Ｎｏ．４，ｐｐ．３１６−３３２
【非特許文献２】原  祐輔他、「目尻シワの三次元個別解析による新規分類法の開発」、日本香粧品学会誌、Ｖｏｌ．３５，Ｎｏ．２，ｐｐ．９３−９８
【発明の概要】
【発明が解決しようとする課題】
【０００５】
しかしながら、上述したような従来手法は、いわゆる定着ジワの評価等を行っており、定着ジワの元になると考えられる表情ジワに対する解析や評価手法等は存在していない。
【０００６】
また、通常、シワは、表情や指で肌を一方向に押し付けた際のヨレに伴って変化し、また変化量やシワの位置も人によって異なる。そのため、画像から表情ジワやヨレを適切に評価するのは困難であり、表情ジワやヨレに対する適切な判断や表情の変化や普段のお手入れによって生じる潜在的なシワ等から肌状態を解析することができなかった。
【０００７】
本発明は、上述した課題に鑑みてなされたものであって、被験者の表情ジワやお手入れ時の皮膚のヨレから適切に肌状態を解析するための画像解析装置、画像解析方法、及び画像解析プログラムを提供することを目的とする。
【課題を解決するための手段】
【０００８】
上述した課題を解決するために、本発明は、以下の特徴を有する課題を解決するための手段を採用している。
【０００９】
一態様における画像解析装置は、撮像手段により撮影した被験者の顔の動画像から肌状態を解析する画像解析装置において、前記動画像に含まれる前記顔の表情の変化に基づき、前記顔の解析領域に予め配列された複数の追跡点の変化量を追跡し、前記変化量から前記解析領域における肌の圧縮率を取得する追跡手段と、前記追跡手段により得られる圧縮率に基づいて前記被験者の肌状態を解析する肌状態解析手段とを有することを特徴とする。
【発明の効果】
【００１０】
被験者の表情ジワやお手入れ時の皮膚のヨレから適切に肌状態を解析することができる。
【図面の簡単な説明】
【００１１】
【図１】画像解析装置の機能構成の一例を示す図である。
【図２】画像解析装置のハードウェア構成の一例を示す図である。
【図３】本実施形態における画像解析装置の処理の一例を示すフローチャートである。
【図４】実施例１における画像解析処理の一例を示すフローチャートである。
【図５】解析領域に配列された追跡点を説明するための図である。
【図６】歪み算出例２を説明するための図である。
【図７】歪み算出例３を説明するための図である。
【図８】歪み算出例４を説明するための図である。
【図９】ストレス情報の取得例について説明するための図である。
【図１０】実施例１における解析結果の一例を示す図（その１）である。
【図１１】実施例１における解析結果の一例を示す図（その２）である。
【図１２】実施例１における解析結果の一例を示す図（その３）である。
【図１３】実施例２における肌状態解析処理の一例を示す図である。
【図１４】表情ジワの折れグセについて説明するための図である。
【図１５】実施例２における解析結果の一例を示す図（その１）である。
【図１６】実施例２における解析結果の一例を示す図（その２）である。
【図１７】額のシワ解析結果の一例を示している。
【図１８】実施例３における解析結果の一例を示す図（その１）である。
【図１９】実施例３における解析結果の一例を示す図（その２）である。
【発明を実施するための形態】
【００１２】
＜本発明の一実施形態について＞
本発明の一実施形態では、被験者の動的なシワ（例えば、笑いジワや、怒りジワ、泣きジワ等の表情ジワ、お手入れ時の皮膚のヨレ）から肌状態を解析するため、顔の所定の部分に追跡点を設定して解析領域を特定し、例えば高速カメラ等の撮像手段を用いて表情の変化に伴うシワの動きを撮影し、撮影した結果を時系列で追跡しながらシワの解析を行う。
【００１３】
また、本発明の一実施形態では、抽出した画像から予め設定されたシワフィルタ等を用いてシワを抽出し、シワパラメータ（例えば、シワの面積、長さ、比率）を算出することができる。また、得られた画像の歪み解析又は歪みとストレス解析を行い、応力マップ等を作成することができる。これにより、被験者の肌状態を適切に解析し、評価することができる。以下に、本発明における画像解析装置、画像解析方法、及び画像解析プログラムを好適に実施した形態について、図面を用いて説明する。
【００１４】
＜画像解析装置の機能構成例＞
図１は、画像解析装置の機能構成の一例を示す図である。図１に示す画像解析装置１０は、入力手段１１と、出力手段１２と、記憶手段１３と、画像取得手段１４と、追跡手段１５と、肌状態解析手段１６と、画像生成手段１７と、送受信手段１８と、制御手段１９とを有する。また、肌状態解析手段１６は、ストレス解析手段２１と、シワパラメータ算出手段２１とを有する。なお、図１に示す画像解析装置１０は、撮像手段３０と外部接続されているが、これに限定されるものではなく、画像解析装置１０に撮像手段３０が内蔵されていてもよい。
【００１５】
入力手段１１は、画像解析装置１０のユーザ等から各種指示の入力を受け付ける。入力手段１１は、例えばキーボードや、マウス等のポインティングデバイス等からなる。
【００１６】
出力手段１２は、入力手段１１により入力された内容や、入力内容に基づいて実行された内容等の表示や出力を行う。出力手段１２は、ディスプレイやスピーカ等からなる。また、出力手段１２は、プリンタ等の機能を有していてもよく、その場合には画像解析結果等を紙等の印刷媒体に印刷して、ユーザ等に提供してもよい。
【００１７】
なお、入力手段１１と出力手段１２とは、例えばタッチパネル等のように一体型の入出力手段であってもよい。この場合には、ユーザの指やタッチペン等を用いて画面上の所定の位置をタッチして入力を行うことができる。
【００１８】
記憶手段１３は、本実施形態における画像解析に必要な各種データを記憶する。例えば記憶手段１３は、画像取得手段１４が撮像手段３０等から取得した撮影画像（時系列画像、動画）、追跡手段１５による追跡結果、肌状態解析手段１６による解析結果、画像生成手段１７による画像等の各種データを記憶するが、記憶するデータ例は、これに限定されるものではない。
【００１９】
記憶手段１３は、例えば画像解析を行うための設定情報や、送受信手段１８により通信ネットワークを介して接続された外部装置から取得した各種データ（撮影画像等）を記憶してもよい。また、記憶手段１３は、必要に応じて蓄積されている各種データを読み出したり、書き込んだりすることができる。
【００２０】
画像取得手段１４は、外部接続された撮像手段３０で撮影された被験者の顔画像を取得する。なお、顔画像は、顔の正面の全領域の画像でもよく、横顔画像でもよく、顔の一部分の領域の画像でもよく、上述した画像を組み合わせた画像であってもよい。
【００２１】
ここで、本実施形態において画像取得手段１４が取得する画像は、例えば予め設定された解析領域を含む時系列画像であり、複数のフレーム画像を有する動画である。また、予め設定される解析領域には、所定の追跡点が所定の間隔で配列されている。追跡点は、例えば点や三角、四角、星等の所定形状を有する印（マーク）であるが、これに限定されるものではない。追跡点は、画像データから所定の画像処理を行ううえでその位置を追跡することができるような色等で解析対象の肌表面に付与されている。
【００２２】
したがって、画像取得手段１４は、撮像手段３０から上述した追跡点を含む時系列画像（動画）を取得する。更に、本実施形態では、表情ジワの解析を行うため、例えば被験者に、真顔（普通顔）の状態から予め設定された顔の表情、又は、予め設定された顔の表情から真顔の状態へと時系列で変化させる。この変化は、繰り返し行ってもよい。撮像手段３０は、その変化した表情の顔の動画像を撮影する。
【００２３】
ここで、撮像手段３０とは、例えばビデオレート（３０ｆｐｓ）以上のフレームレートで動画撮影ができる高速度カメラ（Ｈｉｇｈ  ｓｐｅｅｄ  ｃａｍｅｒａ）等を用いることができるが、これに限定されるものではない。高速度カメラとしては、例えば（株）キーエンス社製の「マイクロスコープ“ＶＷ−６０００”」等を用いて撮影することができるが、これに限定されるものではない。また、撮像手段３０は、被験者の顔画像を取得するときに、例えば顔のシワが強調されるような照明条件で撮影されることが好ましいが、これに限定されるものではない。
【００２４】
画像取得手段１４は、撮像手段３０に対して上述した撮影範囲（例えば、画角、ピント等）や照明条件、撮影条件（フレーム間の時間間隔）、解像度等の各種カメラパラメータを生成して出力することで、所望の動画像（時系列画像）を取得することができる。また、画像取得手段１４は、撮像手段３０から取得した動画像を記憶手段１３に記憶させてもよく、直接追跡手段１５に出力してもよい。
【００２５】
追跡手段１５は、記憶手段１３に記憶された動画像、画像取得手段１４から得られる動画像、又は送受信手段１８により外部装置等から取得した動画像等を用いて、解析領域の肌の動きを追跡する。なお、解析領域の追跡は、時系列画像に含まれている上述した１又は複数の追跡点（マーク）の動きを取得するが、これに限定されるものではない。また、追跡手段１５は、顔画像の時系列による追跡点の移動距離の変化量に基づいて被験者の肌の圧縮率を取得する。圧縮率とは、追跡した各点間の移動距離の変化量（縮まり具合）であるが、これに限定されるものではない。また、追跡手段１５は、圧縮率の一例として、追跡した各点間の距離の変化から歪み量を取得してもよい。歪み量とは、例えば表情の変化により各点間で囲まれる面領域の圧縮や引張り量であるがこれに限定されるものではない。
【００２６】
肌状態解析手段１６は、上述した追跡点の時系列での動き（圧縮率等）に基づいて、肌状態を解析する。肌状態の解析とは、例えば表情ジワを解析し、その結果から肌に対するストレスを解析したり、表情ジワを数値で表現するためのシワパラメータ等を算出することをいうが、これに限定されるものではなく、例えばお手入れ時の指での押しつけによる皮膚のヨレを解析してもよい。
【００２７】
例えば、肌状態解析手段１６におけるストレス解析手段２１は、複数の追跡点の点群データから得られる表情の変化に対応する歪み量等から、解析領域内で強くストレスがかかっている部分を特定する。また、ストレス解析手段２１は、肌（皮膚）の柔軟性（硬さ）等を定量化する皮膚力学測定を行い、その結果を用いて歪みをストレスとして解析する。皮膚力学測定とは、例えば皮膚のある２点間の衝撃波の伝わる時間等を測定し、その結果に基づいて肌（皮膚）の柔軟性やハリの状態、方向等を定量化することであるが、これに限定されるものではない。
【００２８】
肌状態解析手段１６におけるシワパラメータ算出手段２２は、解析領域内に配置された追跡点に基づいて、領域内のシワを予め設定された１又は複数のシワの種類に分類する。また、肌状態解析手段１６は、画像中で認識されたシワのノイズ処理を行い、動画像における前後の画像に存在していないシワがあった場合に、そのシワを削除する。
【００２９】
更に、シワパラメータ算出手段２２は、上述した処理により得られるシワに対してパラメータを算出する。なお、シワパラメータは、シワ面積、シワの長さ、及びシワ比率等のうち少なくとも１つであるが、これに限定されるものではない。
【００３０】
画像生成手段１７は、上述した肌状態解析手段１６により得られた解析結果に基づいて出力手段１２等の画面に表示する画像を生成する。
【００３１】
例えば、画像生成手段１７は、ストレス解析手段２１により得られるストレスが生じている部分を強調表示した画像やストレスマップ等を生成したり、シワパラメータ算出手段２２により算出されたパラメータを表示した画像を生成したり、顔の表情の変化によるシワの部分を強調表示する画像を生成する等があるが、これに限定されるものではない。例えば、画像生成手段１７は、例えばユーザが本実施形態における画像解析を行うための各種設定情報を入力するための設定画面等を生成してもよい。
【００３２】
なお、画像生成手段１７は、生成した画像を出力手段１２の画面に表示する際、ユーザや被験者に見やすくするために、例えば所定領域を拡大表示したり、輝度反転等の処理を行った後に表示させることもできる。
【００３３】
更に、画像生成手段１７は、上述したシワやストレスを表現した画像を動画像の各フレーム毎に行い、動画を生成してもよい。ユーザは、この動画を見ることで、表情の変化によるシワやストレスの変化をより適切に把握することができる。そのため、適切な肌状態の評価等を行うことができる。
【００３４】
送受信手段１８は、例えばインターネットやＬＡＮ（Ｌｏｃａｌ  Ａｒｅａ  Ｎｅｔｗｏｒｋ）等に代表される通信ネットワークを介して接続される外部装置等とデータの送受信を行うための通信手段である。なお、送受信手段１８は、外部装置等に既に記憶されている顔画像データや被験者情報、処理プログラム等を受信することができ、また画像解析装置１０で解析された結果を、通信ネットワークを介して外部装置に送信することもできる。
【００３５】
制御手段１９は、画像解析装置１０の各構成部全体の制御を行う。具体的には、制御手段１９は、例えばユーザ等による入力手段１１からの指示等に基づいて、画像取得手段１４に画像を取得させる、追跡手段１５に画像中の１又は複数の追跡点を追跡させる、肌状態解析手段１６に肌状態を解析させる、画像生成手段１７に画像生成させる等の制御を行うが、制御内容はこれに限定されるものではない。
【００３６】
画像解析装置１０は、例えば、Ｐｅｒｓｏｎａｌ  Ｃｏｍｐｕｔｅｒ（ＰＣ）やサーバ等でもよく、またタブレット端末やスマートフォン等の通信端末、ゲーム機器等でもよいが、これに限定されるものではない。
【００３７】
＜画像解析装置１０のハードウェア構成例＞
図２は、画像解析装置のハードウェア構成の一例を示す図である。図２における画像解析装置１０は、入力装置４１と、出力装置４２と、ドライブ装置４３と、補助記憶装置４４と、主記憶装置４５と、各種制御を行うＣＰＵ（Ｃｅｎｔｒａｌ  Ｐｒｏｃｅｓｓｉｎｇ  Ｕｎｉｔ）４６と、ネットワーク接続装置４７とを有するよう構成されており、これらはシステムバスＢで相互に接続されている。
【００３８】
入力装置４１は、ユーザ等が操作するキーボード及びマウス等のポインティングデバイスや、マイクロフォン等の音声入力デバイスを有しており、ユーザ等からのプログラムの実行指示、各種操作情報、ソフトウェア等を起動するための情報等の入力を受け付ける。
【００３９】
出力装置４２は、画像解析装置１０を操作するのに必要な各種ウィンドウやデータ等を表示するディスプレイを有し、ＣＰＵ４６が有する制御プログラムによりプログラムの実行経過や結果等を表示する。
【００４０】
ここで、本実施形態において画像解析装置１０としてのコンピュータにインストールされる実行プログラムは、例えば、ＵＳＢ（Ｕｎｉｖｅｒｓａｌ  Ｓｅｒｉａｌ  Ｂｕｓ）メモリやＣＤ−ＲＯＭ、ＤＶＤ等の可搬型の記録媒体４８等により提供される。プログラムを記録した記録媒体４８は、ドライブ装置４３にセット可能であり、ＣＰＵ４６からの制御信号に基づき、記録媒体４８に含まれる実行プログラムが、記録媒体４８からドライブ装置４３を介して補助記憶装置４４にインストールされる。
【００４１】
補助記憶装置４４は、例えばハードディスクドライブやＳＳＤ（Ｓｏｌｉｄ  Ｓｔａｔｅ  Ｄｒｉｖｅ）等のストレージ手段等である。補助記憶装置４４は、ＣＰＵ４６からの制御信号に基づき、本実施形態における実行プログラムや、コンピュータに設けられた制御プログラム等を記憶し、必要に応じて入出力を行うことができる。補助記憶装置４４は、ＣＰＵ４６からの制御信号等に基づいて、記憶された各情報から必要な情報を読み出したり、書き込むことができる。
【００４２】
主記憶装置４５は、ＣＰＵ４６により補助記憶装置４４から読み出された実行プログラム等を格納する。なお、主記憶装置４５は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等である。なお、補助記憶装置４４及び主記憶装置４５は、例えば上述した記憶手段１３に対応している。
【００４３】
ＣＰＵ４６は、オペレーティングシステム等の制御プログラム、及び主記憶装置４５に格納されている実行プログラムに基づいて、各種演算や各ハードウェア構成部とのデータの入出力等、画像解析装置１０全体の処理を制御して各処理を実現することができる。なお、プログラムの実行中に必要な各種情報等は、補助記憶装置４４から取得することができ、また実行結果等を格納することもできる。
【００４４】
具体的には、ＣＰＵ４６は、例えば入力装置４１から得られるプログラムの実行指示等に基づき、補助記憶装置４４にインストールされたプログラムを実行させることにより、主記憶装置４５上でプログラムに対応する処理を行う。例えば、ＣＰＵ４６は、本実施形態における画像解析プログラムを実行させることで、上述した画像取得手段１４による画像の取得、追跡手段１５による追跡点の追跡、肌状態解析手段１６による肌状態の解析、画像生成手段１７による画像生成等の処理を行う。なお、ＣＰＵ４６における処理内容は、これに限定されるものではない。ＣＰＵ４６により実行された内容は、必要に応じて補助記憶装置４４に記憶させることができる。
【００４５】
ネットワーク接続装置４７は、ＣＰＵ４６からの制御信号に基づき、通信ネットワーク等と接続することにより、実行プログラムやソフトウェア、設定情報等を、通信ネットワークに接続されている外部装置等から取得する。また、ネットワーク接続装置４７は、プログラムを実行することで得られた実行結果又は本実施形態における実行プログラム自体を外部装置等に提供することができる。
【００４６】
上述したようなハードウェア構成により、本実施形態における画像解析処理を実行することができる。また、上述した各機能をコンピュータに実行させることができる実行プログラム（画像解析プログラム）を、例えば汎用のＰＣや、スマートフォン等の通信端末、ゲーム機器等にインストールすることにより、本実施形態における画像解析処理を実現することができる。
【００４７】
＜画像解析装置１０の処理の例＞
ここで、本実施形態における画像解析装置１０の処理の一例について、フローチャートを用いて説明する。図３は、本実施形態における画像解析装置の処理の一例を示すフローチャートである。
【００４８】
図３の例において、画像解析装置１０の画像取得手段１４は、解析領域を含む肌画像を撮影した動画像を取得する（Ｓ０１）。なお、撮影される動画像は、高速度カメラで撮影されることが好ましいが、これに限定されるものではない。
【００４９】
次に、画像解析装置１０の追跡手段１５は、Ｓ０１の処理で得られた動画像に対して解析領域内に配列された各点を追跡する（Ｓ０２）。なお、各点とは、予め被験者の顔の解析領域内に付与した追跡点（マーク）である。本実施形態では、例えば複数の点が所定の間隔で領域内に配列されている。
【００５０】
次に、画像解析装置１０の肌状態解析手段１６は、追跡した結果から肌状態を解析する（Ｓ０３）。Ｓ０３の処理は、例えば肌のストレスの解析でもよく、シワパラメータの算出でもよく、それらの組み合わせ等でもよいが、これに限定されるものではない。
【００５１】
次に、画像解析装置１０の画像生成手段１７は、Ｓ０３の処理で得られた肌解析結果に基づく画像を生成し（Ｓ０４）、生成した画像を出力手段１２等の画面に表示させる（Ｓ０５）。Ｓ０５の処理において、画像生成手段１７は、通信ネットワーク等により接続された外部装置の画面に表示させてもよい。また、Ｓ０４、Ｓ０５の処理では、画像を時系列に並べた動画を生成し、生成した動画を出力手段１２等に表示させてもよい。
【００５２】
画像解析装置１０の記憶手段１３は、Ｓ０３の処理で得られた肌解析結果等を記憶する（Ｓ０６）。ここで、画像解析装置１０は、画像解析処理を終了するか否かを判断し（Ｓ０７）、処理終了しない場合（Ｓ０７において、ＮＯ）、Ｓ０１の処理に戻る。また、画像解析装置１０は、ユーザ等の指示により処理を終了する場合（Ｓ０７において、ＹＥＳ）、画像解析処理を終了する。
【００５３】
＜肌状態解析処理：実施例１（ストレス解析）＞
次に、上述した肌状態解析手段１６における肌状態解析処理の実施例１について説明する。実施例１では、表情ジワによるストレス解析例について説明する。なお、以下の説明では、表情ジワの一例として笑いジワを用いるが、これに限定されるものでなく、例えば怒りジワ、泣きジワ等でもよい。
【００５４】
実施例１では、例えば被験者の顔の解析領域内に予め設定した追跡点（マーク）を１ｍｍ間隔で１００点以上を目尻に打点する。なお、上述した打点は、肌に直接付着させることもできるが、予め上述した位置に打点を行うスタンプ等を用いることで、容易に追跡点を付与することができる。
【００５５】
また、実施例１では、目尻にスタンプを用いて打点を行い、高速度カメラで被験者が笑ったときの目尻の肌の動きを撮影する。また、実施例１では、追跡点間の距離の変化から２次元的な歪みを取得し、取得した歪みを表示する。更に、実施例１では、肌（皮膚）の柔軟性等を定量化する皮膚力学測定を行い、その結果を加味することで、歪みをストレスとして表示し、解析を行う。皮膚力学測定は、例えば「衝撃波測定装置“Ｒｅｖｉｓｃｏｍｅｔｅｒ（登録商標）”」（Ｃｏｕｒａｇｅ  ＋  Ｋｈａｚａｋａ  ｅｌｅｃｔｒｏｎｉｃ  ＧｍｂＨ）等を用いることができるが、これに限定されるものではない。
【００５６】
図４は、実施例１における画像解析処理の一例を示すフローチャートである。なお、図４の例では、予め作製したスタンプ等を利用して、被験者の肌状態を解析する解析領域内に所定の間隔で配列された追跡点を目尻に打点する。なお、打点するときには、例えば肌に対する負荷や肌と容易に区別できる色の選択容易性等を考慮し、インク等よりもマスカラやアイライナー等の所定の化粧料を用いることが好ましい。なお、領域内の打点数については、例えば解析領域内に１００点以上の点を等間隔で配列することが好ましいが、これに限定されるものではない。
【００５７】
図５は、解析領域に配列された追跡点を説明するための図である。図５（Ａ）は、配列された追跡点の一例を示し、図５（Ｂ）は、追跡点の点群を含む解析領域を示している。図５（Ａ）に示す例では、被験者の右目尻付近の画像５０に縦横１１×１１＝１２１点の追跡点（マーク）５１が所定の間隔で示されている。また、図５（Ｂ）に示すように、追跡点は、解析領域５２の中に配列して付与されている。
【００５８】
なお、本実施形態では、追跡点５１が所定の間隔で配列されている部分を解析領域５２にすればよいため、例えば図５（Ｂ）に示す領域よりも狭い領域（例えば、図５（Ｂ）に示す解析領域５２の右半分又は左半分等）を解析対象にしてもよい。更に、各追跡点で囲まれた領域の内部の一部の領域を解析領域５２にしてもよい。
【００５９】
実施例１では、各追跡点５１が真顔（普通顔）から笑い顔へ変化する場合や、笑い顔から真顔へ変化する場合に、どのような動きをするのかを追跡することで、表情ジワの変化による肌のストレス情報を解析する。
【００６０】
図４の例において、ストレス解析手段２１は、被験者の笑いジワの動画像を取得する（Ｓ１１）。Ｓ１１の処理では、例えば高速度カメラを用いてシワが強調される照明条件の調整を行ったり、ブレ画像にならない程度で撮影した動画像を取得するのが好ましいが、これに限定されるものではない。また、Ｓ１１の処理では、被験者に真顔から満面の笑顔を作ってもらい、そのときの解析領域（目尻付近）を含む皮膚の変化を撮影した動画を取得する。
【００６１】
次に、ストレス解析手段２１は、例えばＰＩＶ（Ｐａｒｔｉｃｌｅ  Ｉｍａｇｅ  Ｖｅｌｏｃｉｍｅｔｒｙ、粒子画像流速測定）法等に基づく追跡点の追跡による解析を行う（Ｓ１２）。ＰＩＶ法とは、例えば撮影時間の異なる粒子画像から、パターンマッチング等を用いて速度場を計測する技術であり、デジタル画像等から粒子の速度や変位を測定する手法である。
【００６２】
ＰＩＶ法に基づく追跡点の追跡には、例えば（株）ライブラリー社の「２次元動画計測ソフトウェア“Ｍｏｖｅ−ｔｒ／２Ｄ”」等を使用することができるが、これに限定されるものではなく、他のソフトウェアを用いてもよい。
【００６３】
ストレス解析手段２１は、追跡による解析により動画中の各シーン（フレーム）の追跡点の位置をｃｓｖファイルやｔｘｔファイル等にして記憶手段１３に保存してもよい。また、動画（例えば、ａｖｉファイル）を連続静止画（例えば、ｂｍｐファイル）に分解する画像処理を行ってもよい。
【００６４】
次に、ストレス解析手段２１は、解析領域内の追跡点間の距離の変化を取得し、その変化量から歪み解析を行う（Ｓ１３）。なお、歪み解析は、例えば（株）ライブラリー社の「歪み計測ソフト“Ｓｔｒａｉｎ−ｍｐ”」等を用いることができるが、これに限定されるものではなく、他のソフトウェアを用いてもよい。
【００６５】
次に、ストレス解析手段２１は、解析領域内において、上述した皮膚力学測定を行い、その皮膚力学測定値と、Ｓ１４の処理で得られた歪み解析結果とに基づいて、ストレス情報を取得する（Ｓ１４）。Ｓ１４の処理では、例えば皮膚力学測定により得られる皮膚の硬さと歪み解析結果とを乗算することで、笑いジワによるストレス（応力）情報を取得する。具体的には、「Ｓｔｒｅｓｓ（応力）＝Ｅ（硬さ）×Ｓｔｒａｉｎ（歪み）」となるが、これに限定されるものではない。実施例１では、ストレス解析手段２１によりストレス情報を取得すると、画像生成手段１７において、ストレス情報を用いて肌に強くストレスがかかっている場所をビジュアル化したストレス（応力）マップ等を生成して表示することができる。
【００６６】
＜ＰＩＶ法について＞
ここで、本実施形態におけるＰＩＶ法について具体的に説明する。なお、以下の説明では、ＰＩＶ法の一例であるＰＴＶ（Ｐａｒｔｉｃｌｅ  Ｔｒａｃｋｉｎｇ  Ｖｅｌｏｃｉｍｅｔｒｙ、粒子追跡）法を用いるが、これに限定されるものではない。
【００６７】
実施例１におけるＰＴＶ法では、解析領域内に化粧料等を付着させて打点を施した箇所（追跡点）を画像中での追跡対象とし、まずは初期設定として、追跡点の特徴（例えば、色、形状、大きさ）等を設定する。このとき、なるべく追跡対象周辺部位とは重複しないような追跡対象の特徴を輝度値,ＲＧＢ値等に基づいて抽出し、その画素数（検査領域サイズ）、重心等に基づいて追跡対象の自動的に特徴設定を行うことができる。また、実施例１では、画像中で追跡する広さ（解析領域サイズ)を設定する。
【００６８】
次に、設定された内容に基づいて撮影された動画の解析を行う。ここで、Ｆ（ｔ−１）を追跡対象（追跡点）のＸＹ値が定まっているフレームの画像とし、Ｆ（ｔ）を追跡対象のＸＹ値が定まっていないＦ（ｔ−１）の次のフレームの画像と定義する。このとき、Ｆ（ｔ）の画像において、Ｆ（ｔ−１）での追跡対象のＸＹ値を中心とし、解析領域サイズ全てに対して、追跡対象との相関係数を算出し、最も相関値の高い値を示すＸＹ値をＦ（ｔ）における追跡対象のＸＹ値とする。
【００６９】
＜歪み解析について＞
次に、上述した歪み解析について具体的に説明する。実施例１では、追跡点を打点した皮膚の動きを、高速カメラを用いて動画で撮影し、その動画を構成するフレーム毎にＰＴＶ法による追跡点の追跡を行い、例えば打点で囲われた解析領域（例えば、四角形）が、予め設定した最初のフレーム（初期位置）からどの程度変形しているのかを歪み値として算出する。なお、圧縮歪みの値は、圧縮した場合を正（プラス）とするがこれに限定されるものではない。
【００７０】
次に、歪み算出方法の例について説明する。
【００７１】
＜歪み算出例１＞
歪み算出例１では、変位量ｕ，ｖに対して平面の歪みは以下に示す（１）式となる。
【００７２】
【数１】
2014193197.tif 000003
【００７３】
但しｘ，ｙは平面座標を示す。
【００７４】
このとき、主歪みは以下に示す（２）〜（４）式により算出することができる。
【００７５】
【数２】
2014193197.tif 000004
【００７６】
＜歪み算出例２＞
歪み算出例２では、外積を用いて解析領域の一例である四角形の面積を求め、表情を変える前と後の面積比から歪み値を算出する。ここで、図６は、歪み算出例２を説明するための図である。
【００７７】
図６の例では、解析領域が四角形である場合に、その四角形の頂点のｘｙ座標を（０，０）、（ａ，ｂ）、（ｃ，ｄ）、（ｅ，ｆ）とすると、四角形の面積は、「面積＝１／２×（（√（ａ×ｄ−ｂ×ｃ）２）＋（√（ｃ×ｆ−ｄ×ｅ）２））となる。
【００７８】
上述した算出内容に基づき、歪み値は、「歪み値＝（対象としている表情変形時のフレームの四角形面積）／（最初（真顔）のフレームの四角形面積）」として算出することができる。
【００７９】
＜歪み算出例３＞
歪み算出例３では、重心Ｐの歪み（εｘ，εｙ）を算出する。図７は、歪み算出例３を説明するための図である。
【００８０】
ここで、図７に示すように、四角形の頂点の初期座標を（ｘ１，ｙ１）、（ｘ２，ｙ２）、（ｘ３，ｙ３）、（ｘ４，ｙ４）とし、節点１〜４の変位を（ｕ１，ｖ１）、（ｕ２，ｖ２）、（ｕ３，ｖ３）、（ｕ４，ｖ４）とすると、重心Ｐの歪みは、以下に示す（５）式、（６）式により算出することができる。
【００８１】
【数３】
2014193197.tif 000005
【００８２】
＜歪み算出例４＞
図８は、歪み算出例４を説明するための図である。歪み算出例４では、例えば図８（Ａ）に示すように、局所座標系（物理座標系）を一般化座標系（自然座標系）に変換する。ここで、四角形の４つの頂点（１）〜（４）をそれぞれ（−１，−１）、（１，−１）、（１，１）、（−１，１）に対応させる。つまり、局所座標系の四角形を一般座標系の正方形に写像する。
【００８３】
ここで、形状関数（変位補間関数）を以下に示す（７）式のように定義する。
【００８４】
【数４】
2014193197.tif 000006
【００８５】
図８（Ａ）に示す一般化座標系での歪みは、以下に示す（８）式のように変位補間関数の偏微分の導関数になり、これを展開したものが（９）式になる。
【００８６】
【数５】
2014193197.tif 000007
【００８７】
平面問題では、一般化座標系と局所座標系との変分の関係は、以下に示す（１０）式となる。
【００８８】
【数６】
2014193197.tif 000008
【００８９】
なお、上述した（１０）式において、Ｊはヤコビアンマトリクスを示す。したがって、ヤコビアンマトリクスの逆行列は、以下に示す（１１）式となる。
【００９０】
【数７】
2014193197.tif 000009
【００９１】
ここで、歪み−変位関係式は、歪みをε、歪み−変位変換マトリクス（線形）（［Ｂ］マトリクスともいう）、ｕを要素端面内変位ベクトルとすると、「ε＝Ｂｕ」として定義される。このときの歪みεは、以下に示す（１２）式で表すことができる。
【００９２】
【数８】
2014193197.tif 000010
【００９３】
ある点ｉの歪み−変位変換マトリクス（［Ｂ］マトリクス）は、以下に示す（１３）式により算出される（点毎に［Ｂ］マトリクスが存在）。
【００９４】
【数９】
2014193197.tif 000011
【００９５】
ここで、マトリックスの作成に際しては、面積積分を行う必要がある。しかしながら、要素がよほど単純な形状でない限り、被積分関数の形が複雑になり、解析的に積分することはほぼ不可能である。そこで、歪み算出例４では、例えばガウス（Ｇａｕｓｓ）積分を用いる。
【００９６】
ガウス積分は、被積分関数をラグランジュ（Ｌａｇｒａｎｇｅ）多項式で近似し、ラグランジュ多項式の性質を元に数値的に積分を求める方法の１つである。本実施例における四角形要素（節点１〜４）において、十分な精度を保証するためのガウス積分点（サンプリング点）は、例えば図８（Ｂ）に示すような（ｒｉ、ｓｉ）の座標値を基準として４つとすることができる。例えば、ｒ＝±１／√３，ｓ＝±１／√３の２×２の４点であり、この場合の重みはＷ１＝Ｗ２＝１である。このとき、歪みεは、以下に示す（１４）式により算出することができる。
【００９７】
【数１０】
2014193197.tif 000012
【００９８】
上述した歪み算出例１〜４は、予め設定した手法を用いて算出してもよく、上述した複数の算出例を組み合わせてもよい。
【００９９】
＜ストレス（応力）情報σの取得例＞
次に、ストレス（応力）情報σの算出例について具体的に説明する。ストレス（応力）情報σは、例えば平面応力状態、又は、平面歪みと仮定して擬似的に表示することでストレス（応力）情報σを取得することができる。ここで、図９は、ストレス情報の取得例について説明するための図である。なお、図９（Ａ）は、平面応力状態を示し、図９（Ｂ）は、平面歪み状態を示している。
【０１００】
例えば、平面応力状態（z方向の応力が０）であると仮定すると、図９（Ａ）に示すような薄い板のような場合と考えることができる。その場合、σＺ＝０、γｚｘ＝０、γｙｚ＝０として、εは以下に示す（１５）式で算出される。
【０１０１】
【数１１】
2014193197.tif 000013
【０１０２】
なお、上述した（１５）式において、ｖはポアソン比を示し、Ｅやヤング率を示す。また、本実施形態では、ポアソン比ｖとして例えば０．４を用いる。これは、高含水性の生体は非圧縮性が高いため約０．５〜０．４程度になると考えられるためである。また、ヤング率Ｅは、例えばＲｅｖｉｓｃｏｍｅｔｅｒ等から得られる皮膚力学測定値の逆数で推定する。
【０１０３】
なお、図９（Ａ）の平面応力状態において、Ｚ方向の歪みはゼロではないため、「εｚ＝−ｖ（σｘ＋σｙ）／Ｅ」となる。
【０１０４】
また、平面歪み状態（z方向の歪みが０）であると仮定すると、図９（Ｂ）に示すような厚い構造の断面と考えることができる。その場合、σＺ＝０、γｚｘ＝０、γｙｚ＝０として、εは以下に示す（１６）式で算出される。
【０１０５】
【数１２】
2014193197.tif 000014
【０１０６】
ここで、ｚ方向の応力は、ゼロではないため、「σｚ＝ｖＥ（εｘ＋εｙ）／（（１＋ｖ）（１−２ｖ））となる。
【０１０７】
なお、上述した例では、簡易的には上述したｖ、εを十分に小さいと考え、σ＝εＥとして代替することもできる。したがって、上述した例では、εと同様にσも主応力を出力することができる。
【０１０８】
＜実施例１における解析結果の一例＞
ここで、図１０〜図１２は、実施例１における解析結果の一例を示す図（その１〜その３）である。図１０の例では、表情の変化を複数回繰り返すことで得られる定着ジワと残りジワの様子を示している。また、図１０の例では、乾燥環境（１０％ＲＨ（Ｒｅｌａｔｉｖｅ  Ｈｕｍｉｄｉｔｙ））と、高湿環境（８０％ＲＨ）とで実施した場合の結果を示している。なお、図１０の例では肌の一例としてレプリカを用いている。
【０１０９】
図１０の例において、矢印部分における乾燥環境（１０％ＲＨ））及び高湿環境（８０％ＲＨ）のシワの体積［ｍｍ３］を比較すると、乾燥環境では残りジワが増え、高湿環境では、定着ジワも残りジワをあまり変わらないことがわかる。
【０１１０】
図１１の例では、乾燥（低湿）環境（１０％ＲＨ）と、高湿環境（８０％ＲＨ）とで実施した目尻のシワストレスをビジュアル化して表示したものである。なお、図１１の例では、画像生成手段１７が、解析領域５２内におけるストレスの大きさ（負荷レベル）（ａ．ｕ．）に応じて予め設定されたカラーで色分けした画像を生成しているが、これに限定されるものではなく、模様等に変化を付けて表示したり、他の強調表示を行ってもよい。
【０１１１】
図１２の例において、図１２（Ａ）では、低湿度（乾燥環境（１０％ＲＨ））と、高湿度（高湿環境（８０％ＲＨ））とにおける歪みとストレスの標準偏差値の関係を示しており、値が高いほど局所的に歪みやストレスが負荷されていることを示している。また、図１２（Ｂ）では、低湿度（乾燥環境（１０％ＲＨ））と、高湿度（高湿環境（８０％ＲＨ））とにおける最大歪みと最大ストレスの関係を示している。また、図１２（Ｃ）では、最大歪み（上位１０個平均）と最大ストレス（上位１０個平均）の関係を示している。
【０１１２】
図１２（Ａ）〜（Ｃ）の解析結果によれば、何れも場合にも、低湿度の方が高湿度よりも歪みやストレスの値が大きいことが残りジワの一因となっていることがわかる。
【０１１３】
＜肌状態解析処理：実施例２（シワパラメータ算出）＞
次に、上述した肌状態解析手段１６における肌状態解析処理の実施例２について説明する。実施例２では、表情ジワによるシワパラメータ算出例について説明する。なお、以下の説明においても実施例１と同様に表情ジワの一例として笑いジワを用いて説明するが、これに限定されるものではなく、例えば怒りジワ、泣きジワ等でもよい。
【０１１４】
実施例２では、例えば予め設定した追跡点（マーク）を目尻に約１．５ｃｍ間隔で上下に２点を打ち、被験者が笑ったときの目尻の動き方を高速度カメラで撮影する。また、動画を１シーン（フレーム）毎に分解し、予め設定されたシワ抽出プログラムでシワを抽出する。なお、実施例２では、例えば目立たない笑いジワや目立つ笑いジワ等、シワの種類を分類して解析してもよい。
【０１１５】
また、実施例２では、シワと年齢との関係を解析してもよく、これにより加齢にしたがって目立つシワの比率が増加する等の知見を見出すことができる。なお、上述した追跡点は、実施例１と同様に、マスカラやアイライナー等の化粧料を用いることができるが、これに限定されるものではない。
【０１１６】
ここで、図１３は、実施例２における肌状態解析処理の一例を示す図である。図１３において、シワパラメータ算出手段２２は、上述したように被験者の解析領域に付与された追跡点（マーク）を用いて、実施例１と同様に、被験者が満面の笑顔の表情を行ったときの動画像を取得する（Ｓ２１）。
【０１１７】
次に、シワパラメータ算出手段２２は、Ｓ２１の処理により得られる動画像からＰＩＶ法に基づく追跡点の追跡による解析を行う（Ｓ２２）。なお、Ｓ２２の処理では、実施例１と同様に動画中の各シーン毎の点の位置をｃｓｖファイルやｔｘｔファイルで記憶手段１３に保存してもよい。また、Ｓ２２の処理では、動画（例えば、ａｖｉファイル形式）を連続静止画（例えば、ｂｍｐファイル）に分解する画像処理を行ってもよい。
【０１１８】
次に、シワパラメータ算出手段２２は、上述したｃｓｖファイルとｂｍｐファイル画像とを同期させ、各ｂｍｐファイル画像における追跡点の位置（例えば、ｘｙ座標）を認識させ、解析位置を決定し（Ｓ２３）、所定画像（例えば、２００×２００画素）、例えば約１ｃｍ四方）を抽出する（Ｓ２４）。なお、Ｓ２３の処理では、例えば２つの追跡点の真ん中を解析位置として認識するが、これに限定されるものではない。また、実施例２では、表情の変化により追跡点が回転した場合には、解析中の位置も逆アフィン変換等を用いて回転させることが好ましいが、これに限定されるものではない。
【０１１９】
次に、シワパラメータ算出手段２２は、予め設定されたノイズ処理を行い（Ｓ２５）、更に予め設定されたシワ抽出フィルタ等を用いてシワの抽出を行う（Ｓ２６）。Ｓ２６の処理では、例えば３種類のシワ抽出フィルタを用いて、解析領域に含まれるシワを、例えば「細かいシワ」、「大きなシワ」、「顕著に大きなシワ」の何れかに分類するが、種類についてはこれに限定されるものではない。また、Ｓ２６の処理では、抽出したシワに対してノイズ処理を行い、前後のフレーム画像に存在しないシワが存在する場合には、ノイズである可能性が高いため、そのシワを削除してもよい。
【０１２０】
次に、シワパラメータ算出手段２２は、Ｓ２６の処理で抽出されたシワからシワパラメータを算出する（Ｓ２７）。なお、シワパラメータとしては、例えば、シワ面積、シワ長さ、シワ比率等があるが、これに限定されるものではない。
【０１２１】
実施例２では、上述の処理で得られた結果を用いて画像生成手段１７により連続静止画（例えば、ｂｍｐ）を動画（例えばａｖｉ、ｗｍｖ）等に再構築して動画を生成し、生成した動画を再生することができる。この場合、画像生成手段１７は、Ｓ２６の処理で抽出したシワを、分類された種別毎に色分けし、元画像上にビジュアル化して強調表示することが好ましいが、生成される画像についてはこれに限定されるものではない。
【０１２２】
ここで、シワは皮膚の折れグセの程度に依存する。図１４は、表情ジワの折れグセについて説明するための図である。図１４（Ａ）に示すように、軽く目を開けている場合と、口角を上げて満面の笑みを作っている場合とでは、肌の折れグセの周期が異なる。折れグセの周期とは、例えば図１４（Ａ）に示すように２つの折れの幅（間隔）であるが、これに限定されるものではない。
【０１２３】
図１４（Ａ）に示すように、目立たない折れグセは、肌が細かく折りたたまれている。また、図１４（Ｂ）に示すように、軽く目を開けている場合と、口角を上げて満面の笑みを作っている場合において、肌の折れグセを深さＤ、周期Ｌとすると、例えば肌が水平方向に１５％だけ圧縮して半楕円形状に折れるとき、図１４（Ａ）に示すように折れグセの目立つパネル（被験者）は、周期Ｌが１．０ｍｍで深さＤが１００μｍとなるため「シワ」のレベルとなる。また、目立たないパネルは、周期Ｌが０．２ｍｍで深さＤが２０μｍとなるため「キメ」のレベルとなる。なお、上述の例では、肌の初期状態をフラットとし、個々の角質細胞は圧縮により変形しないと仮定している。つまり、図１４の例に示すように肌が細かく折りたたまれていると、折れグセは浅くて目立たないことになる。
【０１２４】
ここで、図１５、図１６は、実施例２における解析結果の一例を示す図（その１，その２）である。なお、図１５、図１６では、予め設定されたシワ抽出フィルタにより「顕著に目立つ」、「目立つ」、「目立たない」の３種類のシワ毎の結果を示している。更に、図１５、図１６の例では、追跡点５１を６点配列し、その点のうち、真ん中の四角の解析領域５２内に対してシワパラメータを算出している。
【０１２５】
図１５の例では、各圧縮率［％］と、大まかに折れて「目立つ笑いジワ」、細かく折れて「目立たない笑いジワ」との関係を示す。この解析結果から、笑ったときに肌が細かく折れるほど、目立たない笑いジワになることがわかる。
【０１２６】
図１６の例では、「顕著に目立つシワ」、「目立つシワ」、「目立たないシワ」に分類された各シワについて、色分けされて表示されている。また、図１６の例では、年齢と目立たない笑いジワ比率［％］との関係が示されており、この解析結果から、年齢が若いほど、肌が細かく折れて目立たない笑いジワになっていることがわかる。
【０１２７】
上述した実施例２の解析結果においては、上述した画像例に限定されるものではなく、例えばシワの長さ等のパラメータを表示してもよい。
【０１２８】
なお、上述した表示ジワ等を用いた肌状態の解析は、例えば額や目尻、目尻下、頬、目の周り、目の下、法令線、眉間、鼻の上等に適用することができる。図１７は、額のシワ解析結果の一例を示している。
【０１２９】
図１７の例では、例えば２人の被験者（被験者Ａ、被験者Ｂ）が、解析対象の肌の圧縮率０％（真顔）の状態と圧縮率２０％（額を上にあげるような表情）でのシワの解析結果を示すものである。
【０１３０】
図１７の例では、解析領域５２内において、シワの種類に応じて色分されたシワが表示されている。また、図１７の例では、画像のみを表示しているが、これに限定されるものではなく、複数の被験者のシワの解析結果を動画により時系列に表示されてもよい。なお、上述したような画像や動画は、上述した画像生成手段１７により生成される。
【０１３１】
＜肌状態解析処理：実施例３（皮膚のヨレ解析）＞
なお、本実施形態を適用することにより、上述した実施例１に示す表情ジワによるストレス解析以外にも、例えば外力で肌を動かした際にできる皮膚のヨレの状態を定量的に解析することができる。実施例３では、例えば上述した実施例２に示すようなシワパラメータの算出手法等を用いて、マッサージや塗布物（ファンデーション等）の塗布等のお手入れ時等に生じる被験者の皮膚（肌）のヨレの状態を定量的に解析することができる。
【０１３２】
ここで、図１８、図１９は、実施例３における解析結果の一例を示す図（その１，その２）である。なお、図１８は、マッサージによる被験者の年齢に基づく肌ヨレの解析結果の一例を示し、図１９は、スキンケア前後の肌ヨレの解析結果の一例を示している。
【０１３３】
図１８（Ａ）は、年齢の異なる複数の被験者のマッサージ前（初期状態）の肌画像を示し、図１８（Ｂ）は、その複数の被験者の肌に対して指等で最大荷重をかけてマッサージしている状態（最大荷重中）の肌画像を示し、図１８（Ｃ）は、図１８（Ｂ）の状態における目立つ折れ面積（ｐｉｘｅｌ）を集計した結果を示している。なお、図１８では、年齢の異なる肌画像の一例として、２０代、５０代前半、及び５０代後半の例を示しているが、画像の種類においては、これに限定されるものではない。
【０１３４】
図１８（Ａ）、図１８（Ｂ）の例では、被験者の目尻と頬に、アイライナー等で追跡点５１を打ち、その後、追跡点５１内に設定した所定の解析領域５２に対して指等で一定の力で所定の方向（例えば、図１８の例では、画像の下（頬）から上（目尻）方向）に押しつけて肌をマッサージした際の目尻付近（解析領域５２）の皮膚（肌）ヨレを解析する。
【０１３５】
実施例３において、肌状態解析手段１６は、例えば図１８（Ａ）、図１８（Ｂ）に示す各肌画像と、追跡手段１５等により得られる圧縮率等とに基づいて、目立つ折れとして解析された面積（画素数：ｐｉｘｅｌ）を取得することで、図１８（Ｃ）に示すような解析結果を取得することができる。なお、画像生成手段１７は、例えば図１８（Ｂ）に示すように、目立つ折れ部分を所定の色等を用いて強調表示した画像を生成したり、図１８（Ｃ）に示す解析結果を表示する画像を生成して、画面に出力することができる。
【０１３６】
また、図１９（Ａ）は、同一被験者（５０代後半）の素肌及びスキンケア後の肌状態（初期状態）を示し、図１９（Ｂ）は、素肌及びスキンケア後の肌に対して指等で最大荷重をかけた状態（最大荷重中）の肌画像を示し、図１９（Ｃ）は、図１９（Ｂ）の状態における目立つ折れ面積（ｐｉｘｅｌ）を集計した結果を示している。なお、図１９では、５０代後半の被験者の例を示しているが、画像の種類においては、これに限定されるものではない。
【０１３７】
図１９（Ａ）、図１９（Ｂ）の例では、素肌及びスキンケア後の肌において、被験者の目尻にアイライナー等で追跡点５１を打ち、その後、追跡点５１内に設定した所定の解析領域５２に対して指等で一定の力で所定の方向（例えば、図１８の例では、画像の下（頬）から上（目尻）方向）に押しつけた際の目尻付近（解析領域５２）の皮膚（肌）ヨレを解析する。
【０１３８】
実施例３において、肌状態解析手段１６は、例えば図１９（Ａ）、図１９（Ｂ）に示す各肌画像と、追跡手段１５等により得られる圧縮率等とに基づいて目立つ折れとして解析された面積（画素数：ｐｉｘｅｌ）を取得することで、図１９（Ｃ）に示すような解析結果を取得することができる。なお、画像生成手段１７は、例えば図１９（Ｂ）に示すように、目立つ折れ部分を所定の色等を用いて強調表示した画像を生成したり、図１９（Ｃ）に示す解析結果を表示する画像を生成して、画面に出力することができる。
【０１３９】
実施例３では、上述したような解析結果を用いて、例えば年齢別のよりよいマッサージ方法や、マッサージに組み合わせる塗布物の評価等を行うことができる。
【０１４０】
＜他の実施例＞
なお、上述した各肌状態解析処理に用いられる画像は、例えば上述した高速度カメラ等を用いて撮影された２次元画像を用いているが、これに限定されるものではなく、例えば肌の撮影方向を変えながら取得した複数の２次元画像を組み合わせた３次元画像等を用いて上述した解析や評価を行うことができる。なお、上述した肌状態解析処理の各実施例は、複数の実施例の一部又は全部を組み合わせてもよい。
【０１４１】
上述したように、本発明によれば、被験者の表情ジワやお手入れ時の皮膚のヨレ等から適切に肌状態を解析することができる。これにより、被験者に対する新たな肌ケアカウンセリングや化粧品提供等のサービスを提供することができる。なお、上述した実施形態では、特に顔の肌状態の解析について説明したが、これに限定されるものではなく、例えば体の他の部位（例えば、手等）の肌状態の解析にも適用することもできる。
【０１４２】
以上本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【０１４３】
１０  画像解析装置
１１  入力手段
１２  出力手段
１３  記憶手段
１４  画像取得手段
１５  追跡手段
１６  肌状態解析手段
１７  画像生成手段
１８  送受信手段
１９  制御手段
２１  ストレス解析手段
２２  シワパラメータ算出手段
３０  撮像手段
４１  入力装置
４２  出力装置
４３  ドライブ装置
４４  補助記憶装置
４５  メモリ
４６  ＣＰＵ
４７  ネットワーク接続装置
４８  記憶手段
５０  画像
５１  追跡点（マーク）
５２  解析領域
【図１】
2014193197.tif 000015
【図２】
2014193197.tif 000016
【図３】
2014193197.tif 000017
【図４】
2014193197.tif 000018
【図６】
2014193197.tif 000019
【図７】
2014193197.tif 000020
【図８】
2014193197.tif 000021
【図９】
2014193197.tif 000022
【図１２】
2014193197.tif 000023
【図１３】
2014193197.tif 000024
【図５】
2014193197.tif 000025
【図１０】
2014193197.tif 000026
【図１１】
2014193197.tif 000027
【図１４】
2014193197.tif 000028
【図１５】
2014193197.tif 000029
【図１６】
2014193197.tif 000030
【図１７】
2014193197.tif 000031
【図１８】
2014193197.tif 000032
【図１９】
2014193197.tif 000033